(57)【要約】【課題】テレビジョン受像機において、ユーザが投稿データを送信する際の手間を低減する。【解決手段】ＴＶ受像機は、番組情報取得部によって取得された番組情報の内容に基づき、タグを生成するタグ生成部を備える。ＴＶ受像機を操作するためのリモコンは、タグ生成指示ボタンと、ツイート送信ボタンとを有する。ユーザが６チャンネルのＴＶ番組を視聴している際に（Ｓ１）、リモコンのタグ生成指示ボタンを操作すると（Ｓ２）、ＴＶ受像機は、タグ生成部を用いて、ユーザが視聴しているＴＶ番組についての番組情報からタグを生成する（Ｓ３）。そして、ユーザがリモコンを操作することにより、「結末に感動した」等のメッセージデータを入力した後（Ｓ４）、ツイート送信ボタンを操作すると（Ｓ５）、ＴＶ受像機は、上記Ｓ３で生成されたタグと、上記Ｓ４でユーザによって入力されたメッセージとを含む投稿データを配信サーバに送信する（Ｓ６）。【選択図】図４
2012105022.tif 000002
【特許請求の範囲】
【請求項１】
受信したデータを記録すると共に、記録したデータを送信する配信サーバとネットワークを介して接続され、
前記配信サーバとデータの送受信を行うためのネットワーク通信手段と、
放送局から放送されるテレビジョン番組の映像を表示する表示手段と、
放送局から放送されるテレビジョン番組についての番組情報を取得する番組情報取得手段と、
ユーザによって操作され、ユーザによって入力されたデータを前記配信サーバに送信するように指示するための入力データ送信指示操作手段と、
装置各部を制御する制御手段とを備えたテレビジョン受像機において、
前記番組情報取得手段によって取得された番組情報の内容に基づき、識別子を生成する識別子生成手段と、
ユーザによって操作され、前記識別子生成手段を用いて前記識別子を生成するように指示するための識別子生成指示操作手段とをさらに備え、
前記制御手段は、ユーザによってテレビジョン番組が視聴されている際に、前記識別子生成指示操作手段が操作されると、前記識別子生成手段を用いて、ユーザが視聴しているテレビジョン番組についての番組情報の内容に基づく識別子を生成した後、ユーザによって前記入力データ送信指示手段が操作されると、ユーザによって入力されたデータと共に、前記生成した識別子を前記配信サーバに送信することを特徴とするテレビジョン受像機。
【請求項２】
ユーザによって操作され、前記識別子生成手段を用いて生成された識別子を含むデータを前記配信サーバから受信し、受信したデータを、前記表示手段に表示するように指示するための識別子データ表示指示操作手段をさらに備え、
前記制御手段は、ユーザによってテレビジョン番組が視聴されている際に、前記識別子データ表示指示操作手段が操作されると、前記識別子生成手段を用いて、ユーザが視聴しているテレビジョン番組についての番組情報の内容に基づく識別子を生成した後、前記ネットワーク通信手段を用いて、前記配信サーバから、前記生成した識別子を含むデータを受信し、受信したデータを前記表示手段に表示することを特徴とする請求項１に記載のテレビジョン受像機。
【請求項３】
コンテンツと、このコンテンツについてのコンテンツ情報とが記録された光ディスクを装着する装着部と、
前記装着部に装着された光ディスクのコンテンツを再生する再生手段とをさらに備え、
前記識別子生成手段は、前記再生手段によって再生されているコンテンツについてのコンテンツ情報の内容に基づく識別子も生成し、
前記制御手段は、前記光ディスクが再生されている際に、ユーザによって前記識別子生成指示操作手段が操作されると、前記識別子生成手段を用いて、再生しているコンテンツについてのコンテンツ情報の内容に基づく識別子を生成した後、ユーザによって前記入力データ送信指示手段が操作されると、ユーザによって入力されたデータと共に、前記生成した識別子を前記配信サーバに送信することを特徴とする請求項１又は請求項２に記載のテレビジョン受像機。
【発明の詳細な説明】
【技術分野】
【０００１】
本発明は、配信サーバに対して、データを送受信可能なテレビジョン受像機に関する。
【背景技術】
【０００２】
近年、インターネット上の配信サーバにユーザがメッセージデータ（以下、投稿データ）を投稿することにより、他のユーザがその投稿データを閲覧できるｔｗｉｔｔｅｒ（ツイッター）等のコミュニケーションサービスが知られている。この種のコミュニケーションサービスでは、ユーザは、視聴しているテレビジョン（以下、ＴＶという）番組についての感想について、他のユーザと共有したいときに、投稿データを送信することが多い。
【０００３】
従来の投稿データの送信方法としては、例えば、ユーザが携帯電話やパソコンなどを操作してメッセージを入力した後、配信サーバにメッセージを含む投稿データを投稿（送信）する。しかしながら、この方法では、ＴＶ番組の感想を投稿したいとき、ユーザはＴＶ受像機を見ながらＰＣ等を操作する必要があるため、操作が煩雑であるという問題がある。
【０００４】
これに対して、近年、インターネットに接続可能であるＴＶ受像機が知られている。この種のＴＶ受像機では、インターネットに接続が可能であるため、ユーザがＰＣ等を操作することなく、ＴＶ番組を見ながらＴＶ受像機でメッセージを入力した後、ＴＶ受像機から投稿データを送信可能である。従って、ＰＣ等を操作する必要がないので、ユーザの操作の手間を低減できる。
【０００５】
ところで、ユーザは投稿データを投稿する際に、投稿データのメッセージ本文に検索用のタグを付与して送信することがある。しかしながら、上記インターネットに接続可能なＴＶ受像機では、ユーザがタグを手動で入力しなければならないため、投稿データを送信する際の手間を十分に低減できないという問題がある。
【０００６】
これに対して、特許文献１には、文字情報表示手段に表示されている一の文字情報と他の文字情報との間に確保されたスペース量と、一時記憶手段に記憶された新たな文字情報の文字情報量との比較に基づいて、新たな文字情報が挿入可能であると判断された場合に、新たな文字情報を一の文字情報と他の文字情報との間に挿入してスクロール表示させる文字情報表示装置が開示されている。しかしながら、この文字情報表示装置では、上記問題を解決できない。
【０００７】
また、特許文献２には、管理情報格納部と、ユーザ識別子と、文章取得部と、１以上の用語を取得する文章処理部と、１以上の提示情報を取得する提示情報取得部と、提示情報出力部とを具備し、ユーザが他人に読んでもらうために入力して、送信した文章と関連する情報を、ユーザに提示できる情報処理装置が開示されている。しかしながら、この情報処理装置であっても、上記問題を解決できない。
【０００８】
また、特許文献３には、ヘッダーまたはタイトル中にインデックス情報を含み、番組中の特定のシーンに対する意見や感想をインターネットを介して電子メールで放送局に送信する端末と、受け取った電子メールを付加情報として番組に対して多重化し、デジタル放送で不特定または特定の視聴者に配信する放送局とを備える、デジタル放送を使用した情報システムが開示されている。しかしながら、この情報システムであっても上記問題を解決できない。
【先行技術文献】
【特許文献】
【０００９】
【特許文献１】特開２００９−１９３５２７号公報
【特許文献２】特開２００９−１９３１３３号公報
【特許文献３】特開２０００−１９７０３２号公報
【発明の概要】
【発明が解決しようとする課題】
【００１０】
本発明は、上述した問題点を解決するためになされたものであり、ユーザが投稿データを送信する際の手間を低減できるテレビジョン受像機を提供することを目的とする。
【課題を解決するための手段】
【００１１】
上記目的を達成するために請求項１の発明は、受信したデータを記録すると共に、記録したデータを送信する配信サーバとネットワークを介して接続され、前記配信サーバとデータの送受信を行うためのネットワーク通信手段と、放送局から放送されるテレビジョン番組の映像を表示する表示手段と、放送局から放送されるテレビジョン番組についての番組情報を取得する番組情報取得手段と、ユーザによって操作され、ユーザによって入力されたデータを前記配信サーバに送信するように指示するための入力データ送信指示操作手段と、装置各部を制御する制御手段とを備えたテレビジョン受像機において、前記番組情報取得手段によって取得された番組情報の内容に基づき、識別子を生成する識別子生成手段と、ユーザによって操作され、前記識別子生成手段を用いて前記識別子を生成するように指示するための識別子生成指示操作手段とをさらに備え、前記制御手段は、ユーザによってテレビジョン番組が視聴されている際に、前記識別子生成指示操作手段が操作されると、前記識別子生成手段を用いて、ユーザが視聴しているテレビジョン番組についての番組情報の内容に基づく識別子を生成した後、ユーザによって前記入力データ送信指示手段が操作されると、ユーザによって入力されたデータと共に、前記生成した識別子を前記配信サーバに送信するものである。
【００１２】
また、請求項２の発明は、請求項１に記載のテレビジョン受像機において、ユーザによって操作され、前記識別子生成手段を用いて生成された識別子を含むデータを前記配信サーバから受信し、受信したデータを、前記表示手段に表示するように指示するための識別子データ表示指示操作手段をさらに備え、前記制御手段は、ユーザによってテレビジョン番組が視聴されている際に、前記識別子データ表示指示操作手段が操作されると、前記識別子生成手段を用いて、ユーザが視聴しているテレビジョン番組についての番組情報の内容に基づく識別子を生成した後、前記ネットワーク通信手段を用いて、前記配信サーバから、前記生成した識別子を含むデータを受信し、受信したデータを前記表示手段に表示するものである。
【００１３】
また、請求項３の発明は、請求項１又は請求項２に記載のテレビジョン受像機において、コンテンツと、このコンテンツについてのコンテンツ情報とが記録された光ディスクを装着する装着部と、前記装着部に装着された光ディスクのコンテンツを再生する再生手段とをさらに備え、前記識別子生成手段は、前記再生手段によって再生されているコンテンツについてのコンテンツ情報の内容に基づく識別子も生成し、前記制御手段は、前記光ディスクが再生されている際に、ユーザによって前記識別子生成指示操作手段が操作されると、前記識別子生成手段を用いて、再生しているコンテンツについてのコンテンツ情報の内容に基づく識別子を生成した後、ユーザによって前記入力データ送信指示手段が操作されると、ユーザによって入力されたデータと共に、前記生成した識別子を前記配信サーバに送信するものである。
【発明の効果】
【００１４】
請求項１の発明によれば、ユーザが視聴しているテレビジョン番組についての番組情報の内容に基づく識別子を生成した後、ユーザによって入力されたデータと共に、生成した識別子を配信サーバに送信することができる。そのため、ユーザは手動で識別子（例えば、あるテレビジョン番組についての番組名や放送局を示すタグ）を入力する必要がなくなり、データを送信する際の手間を低減できる。
【００１５】
また、請求項２の発明によれば、識別子データ表示指示操作手段が操作されると、配信サーバから、ユーザが視聴しているテレビジョン番組についての番組情報の内容に基づく識別子を含むデータを受信し、受信したデータを表示する。そのため、ユーザは、識別子データ表示指示操作手段を操作するだけで、視聴中のテレビジョン番組に関連するデータを配信サーバから受信して表示させることができるため、ユーザが手動で識別子を入力してデータの表示指示操作を行う必要がなくなり、データを表示させる際の手間を低減できる。
【００１６】
また、請求項３の発明によれば、光ディスクが再生されている際に、ユーザによって識別子生成指示操作手段が操作されると、再生しているコンテンツについてのコンテンツ情報の内容に基づく識別子を生成した後、ユーザによって入力されたデータと共に、生成した識別子を配信サーバに送信する。そのため、ユーザは、再生しているコンテンツについての識別子を手動で入力する必要がなくなり、データを送信する際の手間を低減できる。
【図面の簡単な説明】
【００１７】
【図１】本発明の一実施形態に係るＴＶ受像機と、このＴＶ受像機に接続された配信サーバとを含むネットワークシステムの概略構成図。
【図２】上記ＴＶ受像機の内部構成を示すブロック図。
【図３】上記ＴＶ受像機のリモコンの上面を示す上面図。
【図４】上記ＴＶ受像機における投稿データの送信処理手順の一例を示すフローチャート。
【図５】上記ＴＶ受像機のディスプレイに表示される投稿データ入力画面の一例を示す説明図。
【図６】上記ＴＶ受像機における投稿データの送信処理手順の別の例を示すフローチャート。
【図７】上記ＴＶ受像機における投稿データの受信処理手順の一例を示すフローチャート。
【図８】上記ＴＶ受像機のディスプレイに表示される投稿データ表示画面の一例を示す説明図。
【発明を実施するための形態】
【００１８】
以下、本発明の一実施形態に係るテレビジョン受像機について、図１乃至図３を参照して説明する。図１は、テレビジョン（以下、ＴＶという）受像機１と、インターネット（ネットワーク）４を介して接続された配信サーバ３とを含むネットワークシステム１００の概略構成を示す。図２は、ＴＶ受像機１の内部構成を示し、図３は、ＴＶ受像機１を操作するためのリモコン５の上面を示す。
【００１９】
配信サーバ３は、インターネット４を介して受信したデータ（以下、投稿データという）を記録する投稿情報データベース（以下、投稿情報ＤＢという）３１を有する。配信サーバ３は、ＴＶ受像機１から投稿データの配信要求を受信したとき、この配信要求に応じた投稿データを投稿情報ＤＢ３１から取得し、取得した投稿データをＴＶ受像機１に送信する。
【００２０】
ＴＶ受像機１は、図２に示すように、アンテナ１１に接続され、放送局からデジタル放送信号を受信するチューナ部１２と、デコーダ部１３と、ＴＶ番組の映像を表示するディスプレイ（表示手段）１４と、ＴＶ番組の音声を出力するスピーカ１５とを備える。また、ＴＶ受像機１は、リモコン５から送信されるリモコン信号を受信するリモコン信号受信部１６と、筐体外部に露出するように設けられたＨＤＭＩ端子部１７と、ネットワークカード（ネットワーク通信手段）１８と、各種情報を記憶したメモリ１９と、ＢＤディスクｄが装着される光ディスクドライブ（装着部）２０と、装置各部を制御するための制御用マイコン（制御手段）１０とをさらに備える。
【００２１】
チューナ部１２は、アンテナ１１を介して、放送局から配信される各チャンネルのデジタル放送信号を受信する。デジタル放送信号には、ＴＶ番組の映像信号及び音声信号と、配信されるＴＶ番組の放送開始時間や放送終了時間、ジャンル、番組タイトル、及び出演者等の番組情報が含まれている。
【００２２】
デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２３】
映像デコード回路は、映像信号を含むＴＳパケットに対して復号化処理を行い、映像信号を抽出し、抽出した映像信号を制御用マイコン１０に出力する。音声デコード回路は、音声信号を含むＴＳパケットに対して復号化処理を行い、音声信号を抽出し、抽出した音声信号を制御用マイコン１０に出力する。
【００２４】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御用マイコン１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００２５】
ディスプレイ１４は、チューナ部１２によって受信されたＴＶ番組の映像や光ディスクドライブ２０によって読み取られたコンテンツの映像を表示する。スピーカ１５は、チューナ部１２によって受信されたＴＶ番組の音声や光ディスクドライブ２０によって読み取られたコンテンツの音声を出力する。
【００２６】
ネットワークカード１８は、ＬＡＮケーブル４１を介してインタ−ネット４に接続されており、インターネット４に対してパケット信号の送受信制御を行う。メモリ１９には、制御用マイコン１０を動作させるためのプログラム１９ａと、番組情報１９ｂとが格納されている。
【００２７】
光ディスクドライブ２０は、コンテンツと、このコンテンツについてのコンテンツ情報ｄ１が記録されたＢＤディスク（光ディスク）ｄが内部に装着され、ＢＤディスクｄからコンテンツデータと、コンテンツ情報ｄ１とを読み出して、制御用マイコン１０に出力する処理を行う。コンテンツ情報ｄ１には、ＢＤディスクｄに格納されているコンテンツのタイトル名や出演者等の情報が格納されている。
【００２８】
制御用マイコン１０は、映像出力部１０ａと、音声出力部１０ｂと、番組情報取得部（番組情報取得手段）１０ｃと、ネットワーク通信制御部１０ｄと、ディスク再生制御部（再生手段）１０ｅと、タグ生成部（識別子生成手段）１０ｆと、投稿データ送信部１０ｇと、投稿データ受信部１０ｈとを有し、ユーザによるリモコン５の操作に基づいて自装置を動作させる。
【００２９】
映像出力部１０ａは、チューナ部１２によって受信されたＴＶ番組の映像信号や、光ディスクドライブ２０から読み取られたコンテンツの映像信号をディスプレイ１４に出力する。音声出力部１０ｂは、チューナ部１２によって受信されたＴＶ番組の音声信号や、光ディスクドライブ２０から読み取られたコンテンツの音声信号をスピーカ１５に出力する。
【００３０】
番組情報取得部１０ｃは、デコーダ部１３から受信したＥＩＴに基づき、番組タイトルや出演者等のＴＶ番組の番組情報を取得して、メモリ１９の番組情報１９ｂに格納する。
【００３１】
ネットワーク通信制御部１０ｄは、ネットワークカード１８を用いて、インターネット４上の配信サーバ３と通信を行う。具体的には、ネットワーク通信制御部１０ｄは、配信サーバ３に対して、ユーザによって入力された投稿データの送信や、特定のタグを有する投稿データの配信要求の送信や、配信サーバ３から送信された投稿データの受信を行う。
【００３２】
ディスク再生制御部１０ｅは、光ディスクドライブ２０によってＢＤディスクｄから読み出されたコンテンツデータの再生を行い、再生したコンテンツデータの映像信号を映像出力部１０ａに出力し、音声信号を音声出力部１０ｂに出力する処理を行う。
【００３３】
タグ生成部１０ｆは、番組情報取得部１０ｃによって取得された番組情報１９ｂの内容に基づき、タグを生成するものである。具体的には例えば、「行列レストラン」という番組名からタグを生成する場合、この名称のローマ字表記である「＃ＧＹＯＲＥＴＳＵ」というタグを生成する。また、タグ生成部１０ｆは、「行列レストラン」という番組名から、「＃ぎょうれつ」というひらがな表記のタグを生成してもよい。また、タグ生成部１０ｆは、ＢＤディスクｄのコンテンツ情報ｄ１に基づき、タグを生成することもできる。
【００３４】
投稿データ送信部１０ｇは、ネットワーク通信制御部１０ｄを用いて、ユーザによって入力されたメッセージデータと、タグ生成部１０ｆが生成したタグとを含む投稿データを配信サーバ３に送信するように処理を行うものである。また、投稿データ送信部１０ｇは、ユーザによって入力されたメッセージデータのみを投稿データとして配信サーバ３に送信してもよい。
【００３５】
投稿データ受信部１０ｈは、タグ生成部１０ｆによって生成されたタグを含む投稿データを配信サーバ３から受信し、受信した投稿データを表示するための画像信号を映像出力部１０ａに出力する処理を行うものである。映像出力部１０ａは、受信した画像信号に基づく投稿データの表示画像をディスプレイ１４に表示させる。
【００３６】
リモコン５は、図３に示すように、電源ボタン５０と、タグ生成指示ボタン（識別子生成指示操作手段）５１と、ツイート送信ボタン（入力データ送信指示操作手段）５２と、十字ボタン５３と、決定ボタン５４とを有する。また、リモコン５は、数字ボタン５５と、キャンセルボタン５６と、ツイート受信ボタン（識別子データ表示指示操作手段）５７とをさらに有する。
【００３７】
電源ボタン５０は、ＴＶ受像機１の電源のオン／オフを指示するものである。タグ生成指示ボタン５１は、ユーザによって操作され、タグ生成部１０ｆを用いてタグを生成するように指示するためのものである。ツイート送信ボタン５２は、ユーザによって操作され、ユーザによって入力された投稿データを配信サーバ３に送信するように指示するためのものである。
【００３８】
数字ボタン５５は、「０」〜「９」の数字に対応する複数のボタンから構成され、ユーザが、数字ボタン５５を操作することにより、チャンネルの選局等を指示することができる。また、数字ボタン５５の「０」〜「９」のそれぞれにひらがなを割り当てることにより、ユーザは、数字ボタン５５を操作してメッセージの入力等を指示することもできる。また、十字ボタン５３を操作してカーソルを移動させることにより、ユーザがメッセージを入力してもよい。
【００３９】
ツイート受信ボタン５７は、タグ生成部１０ｆを用いて生成されたタグのうち、ユーザによって選択されたタグを含む投稿データを配信サーバ３から受信し、受信した投稿データをディスプレイ１４に表示するように指示するものである。ユーザは、ツイート受信ボタン５７を操作する前に、予めタグ生成部１０ｆを用いて生成されたタグの中から、所望の任意のタグを選択しておく。
【００４０】
次に、ＴＶ受像機１における投稿データの送信処理手順の一例について、図４及び図５を参照して説明する。図４は、投稿データの送信処理の手順を示すフローチャートである。図５は、ディスプレイ１４に表示される投稿データ入力画面の一例を示す。
【００４１】
まず、ユーザが６チャンネルのＴＶ番組を視聴している際に（Ｓ１）、リモコン５のタグ生成指示ボタン５１を操作すると（Ｓ２）、制御用マイコン１０は、タグ生成部１０ｆを用いて、ユーザが視聴しているＴＶ番組についての番組情報からタグを生成する（Ｓ３）。具体的には、タグ生成部１０ｆが、番組情報１９ｂから現在６チャンネルで放送されているＴＶ番組についての番組情報を取得し、この番組情報の番組名や出演者名に基づき、タグを生成する。
【００４２】
そして、ユーザがリモコン５の数字ボタン５５等を操作することにより、「結末に感動した」等のメッセージデータを入力した後（Ｓ４）、ツイート送信ボタン５２を操作すると（Ｓ５）、制御用マイコン１０は、投稿データ送信部１０ｇを用いて、上記Ｓ３で生成されたタグと、上記Ｓ４でユーザによって入力されたメッセージとを含む投稿データを配信サーバ３に送信する（Ｓ６）。
【００４３】
図５は、ディスプレイ１４に表示される投稿データ入力画面の一例を示す。ディスプレイ１４には、タグ生成部１０ｆによって生成された「＃ｄｒａｍａＡＢＣ」のタグと、ユーザによって入力された「結末に感動した」のメッセージとを含む投稿データが表示されている。
【００４４】
次に、ＴＶ受像機１における投稿データの送信処理手順の別の例について、図６に示すフローチャートを参照して説明する。ここでは、光ディスクドライブ２０にＢＤディスクｄが装着されているものとする。
【００４５】
まず、光ディスクドライブ２０に装着されているＢＤディスクｄが再生され（Ｓ１１）、ユーザによってリモコン５のタグ生成指示ボタン５１が操作されると（Ｓ１２）、制御用マイコン１０は、タグ生成部１０ｆを用いて、ＢＤディスクｄのコンテンツ情報ｄ１の内容に基づくタグを生成する（Ｓ１３）。具体的には例えば、タグ生成部１０ｆは、ＢＤディスクｄのコンテンツ情報ｄ１からコンテンツ名として「山猿３Ｄ」を取得した場合、「＃ｙａｍａｚａｒｕ」等のタグを生成する。
【００４６】
そして、ユーザがリモコン５の数字ボタン５５等を操作することによりメッセージを入力した後（Ｓ１４）、ツイート送信ボタン５２を操作すると（Ｓ１５）、制御用マイコン１０は、投稿データ送信部１０ｇを用いて、上記Ｓ１３で生成されたタグと、上記Ｓ１４でユーザによって入力されたメッセージとを含む投稿データを配信サーバ３に送信する（Ｓ１６）。ここで、ディスプレイ１４に表示される投稿データ入力画面は、前記図５に示した投稿データ入力画面と同様である。
【００４７】
次に、ＴＶ受像機１における投稿データの受信処理手順の一例について、図７及び図８を参照して説明する。図７は、投稿データの受信処理の手順を示すフローチャートである。図８は、ディスプレイ１４に表示される投稿データ表示画面の一例を示す。
【００４８】
まず、ユーザが６チャンネルのＴＶ番組を視聴している際に（Ｓ２１）、リモコン５のツイート受信ボタン５７を操作すると（Ｓ２２）、制御用マイコン１０は、タグ生成部１０ｆを用いて、ユーザが視聴しているＴＶ番組についての番組情報からタグを生成する（Ｓ２３）。具体的には、タグ生成部１０ｆが、番組情報１９ｂから現在６チャンネルで放送されているＴＶ番組についての番組情報を取得し、この番組情報の番組名や出演者名に基づき、タグを生成する。なお、ユーザがＢＤディスクｄを再生中に、リモコン５のツイート受信ボタン５７を操作することにより、ＢＤディスクｄのコンテンツ情報ｄ１に基づくタグを有する投稿データを受信して表示してもよい。
【００４９】
そして、ユーザが、上記Ｓ２３で生成されたタグの中から、受信したいタグを選択すると（Ｓ２４）、制御用マイコン１０は、投稿データ受信部１０ｈを用いて、ユーザによって選択されたタグを有する投稿データを配信サーバ３から受信する（Ｓ２５）。そして、受信した投稿データをディスプレイ１４に表示する（Ｓ２６）。
【００５０】
図８は、ディスプレイ１４に表示される投稿データ表示画面の一例を示す。ディスプレイ１４には、ユーザに選択された「＃ｄｒａｍａＡＢＣ」のタグを含む投稿データが表示されている。配信サーバ３から受信した投稿データは、例えば「あのシーンが楽しかった。＃ｄｒａｍａＡＢＣ」である。
【００５１】
上述したように、本実施形態に係るＴＶ受像機１においては、ユーザが視聴しているＴＶ番組についての番組情報１９ｂの内容に基づくタグを生成した後、ユーザによって入力されたメッセージデータと、生成したタグとを含む投稿データを配信サーバ３に送信することができる。そのため、ユーザは手動でタグを入力する必要がなくなり、投稿データを送信する際の手間を低減できる。
【００５２】
また、視聴中のＴＶ番組の番組情報１９ｂに基づくタグが自動的に生成されるため、タグを生成する際に、タグ変換前のデータを指定する必要がないので、ユーザにとって投稿データを送信する際の手間をさらに低減できる。
【００５３】
また、本実施形態に係るＴＶ受像機１によれば、ツイート受信ボタン５７が操作されると、配信サーバ３から、ユーザが視聴しているＴＶ番組についての番組情報の内容に基づくタグを含む投稿データを受信し、受信した投稿データをディスプレイ１４に表示する。そのため、ユーザは、ツイート受信ボタン５７を操作するだけで、視聴中のＴＶ番組に関連する投稿データを配信サーバ３から受信してディスプレイ１４に表示させることができるので、ユーザが手動でタグを入力して投稿データの表示指示操作を行う必要がなくなり、投稿データを表示させる際の手間を低減できる。
【００５４】
また、本実施形態に係るＴＶ受像機１によれば、ＢＤディスクｄが再生されている際に、タグ生成指示ボタン５１が操作されると、再生しているコンテンツについてのコンテンツ情報ｄ１の内容に基づくタグを生成した後、ユーザによって入力されたメッセージデータと、生成したタグとを含む投稿データを配信サーバ３に送信する。そのため、ユーザは、再生しているコンテンツについてのタグを手動で入力する必要がなくなり、投稿データを送信する際の手間を低減できる。
【００５５】
なお、本発明は、上記実施形態の構成に限られず、発明の趣旨を変更しない範囲で種々の変形が可能である。例えば、上記実施形態において、上記図６ではＢＤディスクのコンテンツを再生している例を示したが、ＶＯＤ（Ｖｉｄｅｏ  Ｏｎ  Ｄｅｍａｎｄ）コンテンツを再生するものであってもよい。
【符号の説明】
【００５６】
１  ＴＶ受像機
３  配信サーバ
４  インターネット（ネットワーク）
１０  制御用マイコン（制御手段）
１４  ディスプレイ（表示手段）
１８  ネットワークカード（ネットワーク通信手段）
２０  光ディスクドライブ（装着部）
５２  ツイート送信ボタン（入力データ送信指示操作手段）
５１  タグ生成指示ボタン（識別子生成指示操作手段）
５７  ツイート受信ボタン（識別子データ表示指示操作手段）
１０ｃ  番組情報取得部（番組情報取得手段）
１０ｅ  ディスク再生制御部（再生手段）
１０ｆ  タグ生成部（識別子生成手段）
ｄ  ＢＤディスク（光ディスク）
ｄ１  コンテンツ情報
【図１】
2012105022.tif 000003
【図２】
2012105022.tif 000004
【図３】
2012105022.tif 000005
【図４】
2012105022.tif 000006
【図５】
2012105022.tif 000007
【図６】
2012105022.tif 000008
【図７】
2012105022.tif 000009
【図８】
2012105022.tif 000010